(57)【要約】【課題】  スキャン情報（スキャン入力画像とその付属情報）を保存し、画像出力に再利用可能とした画像処理装置において、個人情報として保存するスキャン情報のセキュリティを保護するための仕組みを備える。【解決手段】  制御部は、処理を要求するユーザのＩＤをＩＤ読取部から入力させ（Ｓ１０１）、スキャナでユーザの処理要求に従って原稿を読取り、得られるスキャン画像と関連付け、ＨＤＤの特定のユーザＩＤを持ったスキャン情報を保存する領域に保存、管理する（Ｓ１０４，１０５）。ＨＤＤに保存されたスキャン情報に対する読出要求時に、スキャン情報に関連付けて管理されたユーザＩＤと一致するユーザＩＤが入力されたことを条件に、要求されたスキャン情報へのアクセスを可能とする制御を行う。この仕組みによって入力した本人以外の読出しを防止し、個人情報として保存したスキャン情報のセキュリティを保護する。【選択図】          図２
2006339928.tif 000002
【特許請求の範囲】
【請求項１】
スキャナ部と、前記スキャナ部を通して入力したスキャン情報を保存する記憶部と、前記記憶部に保存されたスキャン情報を管理するスキャン情報管理部と、前記記憶部に対するアクセス制御手段と、前記記憶部から読出したスキャン情報を画像出力用データとして処理する画像処理部と、ユーザ個人を識別するＩＤを入力するユーザＩＤ入力部を有する画像処理装置であって、前記スキャン情報管理部は、処理要求に付随して前記ユーザＩＤ入力部から入力されたユーザＩＤと該処理要求に応じて前記スキャナ部を通して入力されたスキャン情報とを関連付けて管理する機能を備え、前記アクセス制御手段は、前記記憶部に記憶されたスキャン情報に対する読出し要求時に、該読出し要求に付随して前記ユーザＩＤ入力部から入力されたユーザＩＤと前記スキャン情報管理部で該当するスキャン情報に関連付けて管理されたユーザＩＤとの一致を条件に、要求されたスキャン情報へのアクセスを可能とする制御を行うようにしたことを特徴とする画像処理装置。
【請求項２】
前記記憶部に記憶されるスキャン情報がスキャン画像とその属性情報よりなる請求項１に記載された画像処理装置において、前記読出し要求を前記スキャン情報に含まれるスキャン画像とその付属情報の少なくとも一方に対する要求とし、得られたスキャン情報を処理過程で再利用するための制御を行う手段を備えたことを特徴とする画像処理装置。
【請求項３】
請求項１又は２に記載された画像処理装置において、前記スキャン情報管理部は、ユーザごとに使用に伴う時間情報及び使用回数を管理する機能を備えたことを特徴とする画像処理装置。
【発明の詳細な説明】
【技術分野】
【０００１】
本発明は、スキャナを通して入力し、入力後に再利用するために保存したスキャン情報をもとにプリント出力や外部への配信等の画像出力を行う、例えば、ＭＦＰ（コピー、ファクシミリ、プリンタ、スキャナ配信等の多機能を複合させた画像処理装置；複合機）のような画像処理装置に関し、より特定すると、ユーザが処理要求に付随して入力するユーザＩＤでスキャン情報を管理する機能を備えた上記画像処理装置に関する。
【背景技術】
【０００２】
今日、スキャナを通して入力した画像を出力する画像処理装置として、例えば、コピー、ファクシミリ、スキャナ配信等の機能を複合して備えたＭＦＰ（複合機）が、広く利用されている。近年、ＭＦＰでは、スキャナを通して入力されたスキャン情報（スキャン画像とその付属情報）を記憶部（例えば、ＨＤＤ等）に保存し、その後、保存されたスキャン情報を再利用するために管理する機能を持つものも提供されている。
ＭＦＰは、会社等で多くの利用者によって共通に使用されるのが一般的であり、上記のような、保存したスキャン情報を再利用する機能を備えた機種では、以前と同じ画像出力を得るために、保存された大量の画像の中から、再利用しようとする画像を選択し、以前と同じ設定をする場合に行うユーザ操作を困難にする。
こうした状況を解決するために提案された従来技術として、例えば、下記特許文献１を挙げることができる。
特許文献１記載の画像形成装置は、蓄積文書書誌情報の管理テーブルにより蓄積された各文書ファイル（スキャナ原稿読み込み画像データを含む）を管理している。この管理テーブルは、各文書のファイルＩＤと、その文書を作成したユーザ名、文書に付けた文書名、文書を蓄積した日時、用紙サイズ、文書全体のページ数、各ユーザが持つパスワード（、認証コード）よりなる書誌情報により構成されている。この管理テーブルを参照して、ユーザが指示した検索条件に従い蓄積文書をソートし、選択画面に表示することにより、ユーザの文書選択及び印刷条件の設定操作を容易に行うことを可能にする。
【特許文献１】特開２００３−１２７４７３号公報
【発明の開示】
【発明が解決しようとする課題】
【０００３】
ところで、近年、社会や企業におけるＩＴ化は、各々の活動を支える情報を取巻く環境を大きく変えようとしており、このような環境の変化を背景に、情報セキュリティに対する関心は非常に高くなっており、上記したスキャン情報を再利用する機能を備えたＭＦＰにおいて、保存されたスキャン情報に対しても、個人情報として保護すべきであるとする機運が高まっている。
しかしながら、従来、保存されたスキャン情報に付属情報としてユーザＩＤを付加することがあっても、セキュリティの保護という管理を目的として用いる、という考え方はない。つまり、上記特許文献１にも示したように、蓄積（保存）された文書ファイル（スキャン情報を含む）に付加したユーザＩＤは、文書選択、印刷条件設定を過去の履歴の中から容易に所望のものを選択設定することを可能にする機能を実現し、ユーザの操作性の向上を図るという目的で用いられており、上記したセキュリティの保護という管理目的へのアプローチは、未解決の課題である。
本発明の解決すべき課題は、スキャナを通して入力し、入力後に再利用するために保存したスキャン情報をもとに画像出力用データを処理する画像処理装置において、これまでに未解決の課題であった、保存するスキャン情報に対して、個人情報としてそのセキュリティの保護を図ることを可能にするための仕組みを備えることにある。
【課題を解決するための手段】
【０００４】
請求項１の発明は、スキャナ部と、前記スキャナ部を通して入力したスキャン情報を保存する記憶部と、前記記憶部に保存されたスキャン情報を管理するスキャン情報管理部と、前記記憶部に対するアクセス制御手段と、前記記憶部から読出したスキャン情報を画像出力用データとして処理する画像処理部と、ユーザ個人を識別するＩＤを入力するユーザＩＤ入力部を有する画像処理装置であって、前記スキャン情報管理部は、処理要求に付随して前記ユーザＩＤ入力部から入力されたユーザＩＤと該処理要求に応じて前記スキャナ部を通して入力されたスキャン情報とを関連付けて管理する機能を備え、前記アクセス制御手段は、前記記憶部に記憶されたスキャン情報に対する読出し要求時に、該読出し要求に付随して前記ユーザＩＤ入力部から入力されたユーザＩＤと前記スキャン情報管理部で該当するスキャン情報に関連付けて管理されたユーザＩＤとの一致を条件に、要求されたスキャン情報へのアクセスを可能とする制御を行うようにしたことを特徴とする画像処理装置である。
【０００５】
請求項２の発明は、前記記憶部に記憶されるスキャン情報がスキャン画像とその属性情報よりなる請求項１に記載された画像処理装置において、前記読出し要求を前記スキャン情報に含まれるスキャン画像とその付属情報の少なくとも一方に対する要求とし、得られたスキャン情報を処理過程で再利用するための制御を行う手段を備えたことを特徴とするものである。
請求項３の発明は、請求項１又は２に記載された画像処理装置において、前記スキャン情報管理部は、ユーザごとに使用に伴う時間情報及び使用回数を管理する機能を備えたことを特徴とするものである。
【発明の効果】
【０００６】
本発明によると、記憶部に保存されたスキャン情報に対する読出要求時に、ユーザによって入力されたユーザＩＤと当該スキャン情報に関連付けて管理されたユーザＩＤとの一致を条件に、要求されたスキャン情報へのアクセスを可能とする制御を行うようにし、他人によるアクセスを防ぐことができるので、スキャン情報を個人情報として、そのセキュリティの保護を図ることが可能になる。
また、保存されているスキャン画像に付属する情報として記されている、以前に行ったスキャン時の設定情報を検索キーとして用いることにより、求めるスキャン画像を容易に検索することや、新たなスキャン要求時の設定に以前の設定情報を再利用することにより、設定を容易に行うことが可能になる（請求項２）。
また、ユーザごとに使用に伴う時間情報及び使用回数を管理するようにしたことによって、無秩序になりがちな使用状態を適正化することが可能になる（請求項３）。
【発明を実施するための最良の形態】
【０００７】
本発明は、スキャナを通して入力した後、再利用するために保存（蓄積）したスキャン情報をもとにプリント出力や外部への配信等の画像出力処理を行う画像処理装置に係わり、保存したスキャン情報を個人情報として、そのセキュリティを保護するための手段を備えることを特徴とする。
セキュリティを保護するための手段は、記憶部に保存されたスキャン情報を管理するスキャン情報管理部と、スキャン情報を保存した記憶部に対するアクセス制御手段と、ユーザＩＤ入力部よりなる。スキャン情報管理部は、処理要求に付随してユーザＩＤ入力部から入力されたユーザＩＤと該処理要求に応じて前記スキャナ部を通して入力されたスキャン情報とを関連付けて管理する。また、アクセス制御手段は、記憶部に保存されたスキャン情報に対する読出要求時に、読出要求に付随してユーザＩＤ入力部から入力されたユーザＩＤとスキャン情報管理部で該当するスキャン情報に関連付けて管理されたユーザＩＤとの一致を条件に、要求されたスキャン情報へのアクセスを可能とする制御を行う。
これらの手段を備えることにより、保存されたスキャン情報の処理要求を行った本人以外の他人によるアクセスを防ぐことができるので、スキャン情報を個人情報として、そのセキュリティの保護を図ることが可能になる。
【０００８】
以下には、個人情報として保存したスキャン情報のセキュリティを保護する機能を備えた本発明に係わる画像処理装置として、ＭＦＰを例に本発明の実施形態を説明する。
図１は、本実施形態のＭＦＰに係わる制御システムの構成を概略的に示すブロック図である。
図１に示すＭＦＰの制御システムは、制御部１が、システムコントローラとしての機能を持ち、システムプログラムをＣＰＵ（Central Processing Unit）で動作させることによって、装置全体を制御する。
ＲＯＭ（Read Only Memory）２は、制御部１が制御に用いるシステムプログラムやシステムプログラムに従った制御動作を実行するのに必要な各種データを記憶するメモリである。また、ＲＡＭ（Random Access Memory ）３は、制御部１の制御下でシステムプログラムに従った制御動作を行うためのワークエリア等に使用される。
ＨＤＤ（Hard Disk Drive）４は、機内に入力され、生成された画像情報やその付属情報を再利用するために保存（蓄積）する大容量の記憶装置であり、本実施形態では、スキャン情報の保存場所とする。
操作部５は、操作キーとＬＣＤ（Liquid Crystal Display）タッチパネル等の表示装置で構成される操作パネルを有し、動作させるコピー、プリンタ、スキャナ、ファクシミリ等の各機能の選択や動作・処理条件の設定及び動作指令を発するためのオペレータ（ユーザ）の入力操作をダイアログ方式で行う（ＬＣＤの表示画面によって操作を案内したり、機器側の状態を知らせる）ことを可能とする。
【０００９】
スキャナ６は、ＣＣＤ（Charge Coupled Device）ラインセンサなどの画像変換器により原稿を光学的にスキャンし、得られるアナログ画像信号をＡ／Ｄ変換し、画像出力に用いるデータへ処理する。
プロッタ７は、スキャナ６からの画像データや下記する通信制御部９やＬＡＮ制御部１０を介して外部から送信されてくるＦＡＸデータやプリントデータをもとに記録用紙上に電子写真等の方式により作像を行い出力する。
ＩＤ読取部８は、ユーザ個人を識別するユーザＩＤを入力する手段であり、個人が所有するＩＤカードや生体情報（例えば、指紋）を読取る装置により構成する。ＩＤ読取部８を通して入力されたＩＤは、ＲＯＭ２等に保管されたＩＤ情報と照合することにより、本人確認であることを認証する処理に用いられる。
通信制御部９は、通信制御と網制御を行いファクシミリ通信を行う。
ＬＡＮ（Local Area Network）制御部１０は、データリンク層制御及び物理層制御を行い、ホスト側から送信されてくるコマンドに応じて、ネットワークを介して外部にプリント出力等の機能を提供したり、外部機能を利用するためのコマンドを発信することを可能にする。
上記各部は、制御部１の制御下でシステムバス１１を通してデータ転送を行う。
【００１０】
上記制御システム（図１）は、スキャナに原稿がセットされると、原稿読取を開始し、操作部５でユーザの入力操作により、コピー、スキャナ、ファクシミリの各機能から選択された機能及び設定された処理条件に従い制御プログラムを動作させ、コピー出力、スキャナ配信、ファクシミリ送信の各出力処理を実行する。
即ち、スキャン入力された画像をもとに、コピー出力の場合は、プリント出力用のデータを生成し、このデータによりプロッタ７で作像処理を行い、スキャナ配信の場合は、配信先で処理が可能なデータ形式へ変換した後、ＬＡＮ制御部１０を介して送信し、又ファクシミリ送信の場合は、ＦＡＸ信号に変換した後、通信制御部９を介してＦＡＸ送信を行う。なお、スキャナの読取り制御及びコピー出力、スキャナ配信、ファクシミリ送信の各出力処理、それ自体は、既存の技術を用いることにより実施し得るので、ここでは、記載を省略する。
ただ、本実施形態では、スキャナを通して入力した画像を再利用できるようにするために、ＨＤＤ４に保存（蓄積）するとともに、ユーザ個人を識別するＩＤ（以下、「ユーザＩＤ」と記す）を添付してＨＤＤ４に保存されたスキャン画像を個人情報として、セキュリティの保護対象として、その管理を行う。なお、再利用するためにＨＤＤ４に保存（蓄積）される情報は、スキャン画像とその付属情報（以下、「スキャン情報」という）であり付属情報には、処理条件の設定情報やユーザＩＤ等の書誌情報を含む。
【００１１】
セキュリティの保護に係わる管理機能を実現するために、制御部１は、処理を要求するユーザのＩＤをＩＤ読取部８により読取らせることで、ユーザＩＤの入力を行わせ、入力されたユーザＩＤをＲＡＭ３に記憶させる。このユーザＩＤは、処理要求に付随する情報として、スキャン画像の管理に用いられる情報である。従って、ユーザＩＤの入力後に、スキャナ６でユーザの処理要求に従って原稿を読取り、得られるスキャン画像をＨＤＤ４へ保存（蓄積）する際に、制御部１は、入力されたユーザＩＤをスキャン画像に付属する情報として、例えば、ＩＤタグの添付といった方法により、スキャン画像と関連付け、特定のユーザＩＤを持ったスキャン情報を保存する領域に記憶する。
更に、ＨＤＤ４に保存されたスキャン情報に対する読出要求時に、制御部１は、スキャン情報に関連付けて管理されたユーザＩＤと一致するユーザＩＤが入力されたことを条件に、要求されたスキャン情報へのアクセスを可能とする制御を行う。
このような仕組みを設けることによって、先にＨＤＤ４に保存されたスキャン情報を入力した本人以外が読出しを行うことを防止することができ、スキャン情報を個人情報として、そのセキュリティの保護を図ることが可能になる。
【００１２】
また、ユーザＩＤが処理要求に付随して入力されることから、ユーザ単位で処理要求の履歴情報を管理することが可能になり、この履歴情報の管理機能を付加機能として備えるようにする。
ここで、履歴情報として管理するために取得する情報は、使用に伴う時間情報（使用日時、使用時間等）及び使用回数を含み、この履歴情報をユーザＩＤと関係付けて、ＲＯＭ２に保存し、管理する。使用に伴う時間情報及び使用回数をユーザ単位で管理することにより、無秩序になりがちなＭＦＰの乱使用を防ぐことを可能にし、適正な使用状態を実現するための基礎データを提供することができる。
なお、処理要求時に、ユーザＩＤの入力を行わないでコピー等の処理を要求した場合、処理そのものは、要求に応じた動作を行うことができるようにし、スキャン情報も一旦ＨＤＤ４に保存する。ただ、この場合、制御部１は、保存したスキャン情報に対し無条件に読出しアクセスを禁止し、ユーザＩＤが入力された場合とは異なる扱いをする。即ち、制御部１は、ユーザＩＤが入力されない処理要求に対応する際には、得られるスキャン情報をＨＤＤ４内に設けた不特定多数のユーザのスキャン情報を保存する領域に（即ち、ユーザＩＤが入力された場合に記憶される、特定のユーザＩＤを持ったスキャン情報を保存する領域とは別の領域に）記憶し、例えば、制御部１によるＨＤＤ４に対するフォーマット動作が入り、不特定多数のユーザのスキャン情報を保存する領域に保存されたデータが削除されるまで、読み取りができないようにするアクセス制御をかける。
また、ユーザＩＤを付加したスキャン情報に対しては、ユーザＩＤを付加した状態での作業モードから抜けることができるようにする。このための方法として、操作部５のオペレーションパネルからユーザが、自ら操作する方法や、ユーザＩＤを付加して管理されたスキャン情報に対する操作が行われない状態で一定時間が経過した場合に自動で抜ける方法をとることが可能である。
【００１３】
次に、上記した制御システム（図１）が、個人情報としてスキャン情報のセキュリティを保護する機能を実現するために行うスキャン情報の保存処理に係わる処理の実施形態を示す。
図２は、本実施形態のスキャン情報の保存処理に係わる処理フローを示す。
この実施形態のスキャン情報の保存処理フローは、ＭＦＰの場合には、コピー出力、スキャナ配信、ファクシミリ送信の各出力処理の一環として、スキャナ６によって原稿を読取る際に行う。
図２に示す処理フローによると、制御部１は、スキャナ６により原稿読取を行う際に、まず、ＩＤ読取部８でユーザＩＤの読取を行う（ステップＳ１０１）。このとき、操作部５のＬＣＤ画面に、ＩＤ読取部８を通してユーザＩＤの入力を行うことを促すガイダンスメッセージを表示する。ユーザＩＤは、処理要求に付随して入力されるので、実際には、コピー出力、スキャナ配信、ファクシミリ送信等の出力処理を要求して、処理条件を設定する入力操作とともにＩＤの読取を行うための操作が行われる。なお、本実施形態では、ユーザＩＤの入力がなくても、処理要求に応じるので、操作部５でユーザから実行の確認をとって、次の処理を進めるようにしても良い。
ユーザの操作によりユーザＩＤの入力及び処理要求の入力が行われた後、スキャナ６による原稿の読取を開始する（ステップＳ１０２）。
次いで、制御部１は、ステップＳ１０１のユーザＩＤの読取によって、ユーザＩＤが取得できたか、否かによって、それぞれの処理に分岐するので、このチェックを行う（ステップＳ１０３）。
【００１４】
ここで、ユーザＩＤが取得できた場合には、スキャナ６で読取られた画像とその付属情報よりなるスキャン情報と取得したユーザＩＤとを、例えば、ＩＤタグの添付といった方法により、関連付けて管理できるようにし（ステップＳ１０４）、このスキャン情報をＨＤＤ４における特定ＩＤを持つユーザ領域として確保した領域に保存する（ステップＳ１０５）。なお、ＨＤＤ４を持たないシステムでは、スキャン情報の保存場所にＲＡＭを用いても良い。
また、スキャン情報のＨＤＤ４への保存と同時に、使用に伴う時間情報（使用日時、使用時間等）及び使用回数を示す情報をユーザＩＤと関係付けて、一時的にＲＯＭ２に記憶する（ステップＳ１０６）。
この後、スキャナ６による原稿読取りが完了したことを確認して（ステップＳ１０７-YES）、上記ステップＳ１０６でＲＯＭ２に一時的に記憶させた時間情報（使用日時、使用時間等）及び使用回数を示す情報をＨＤＤ４内に確保しているユーザに関する管理情報を保存する場所に移し、そこでユーザごとに履歴情報を提供できるように保存、管理し（ステップＳ１０８）、この処理フローを終了する。
他方、ステップＳ１０３でユーザＩＤが取得できなかった場合には、スキャナ６の動作を経て得られるスキャン情報をＨＤＤ４における不特定ユーザ領域として確保した領域に保存する（ステップＳ１１１）。
この後、スキャナ６による原稿読取りが完了したことを確認して（ステップＳ１１２-YES）、この処理フローを終了する。
【００１５】
次に、上記したスキャン情報の保存処理のフローを経てＨＤＤ４に保存されたスキャン情報を再利用する場合に、制御部１が行う読出し処理に係わる処理フローの実施形態を示す。
図３は、本実施形態のスキャン情報の読出し処理に係わる処理フローを示す。
このスキャン情報の読出し処理に係わる処理フローは、ＨＤＤ４に保存されたスキャン情報をコピー出力、或いはスキャナ配信、ファクシミリ送信、閲覧の各処理を行うために再利用する場合に、その処理の一環として、制御部１がＨＤＤ４へアクセスし、スキャン情報を読出す際に行う。なお、スキャン情報の再利用は、スキャン画像のほか、付属情報に含まれる処理条件の設定情報が利用される場合であっても良い。
図３に示す処理フローによると、制御部１は、ＨＤＤ４に保存されたスキャン情報を再利用するコピー等の出力要求に応じて、ＨＤＤ４からスキャン情報を読出す際に、まず、ＩＤ読取部８でユーザＩＤの読取を行う（ステップＳ２０１）。このとき、操作パネル（操作部５）のＬＣＤ画面に、ＩＤ読取部８を通してユーザＩＤの入力を行うことを促すガイダンスメッセージを表示する。ユーザＩＤは、処理要求に付随して入力されるので、実際には、コピー出力等の出力処理を要求して、処理条件を設定する入力操作とともにＩＤの読取を行うための操作が行われる。
ユーザの操作によりユーザＩＤの入力及び処理要求の入力が行われた後、制御部１は、ステップＳ２０１のユーザＩＤの読取によって、ユーザＩＤが取得できたか、否かによって、処理を分岐するので、このチェックを行う（ステップＳ２０２）。
【００１６】
ユーザＩＤが取得できた場合には、今取得したユーザＩＤが、ＨＤＤ４に保存されたスキャン情報に関連付けられたユーザＩＤ（図２の保存処理におけるステップＳ１０４においてスキャン情報を管理するために添付）と一致するか、否かがチェックされる（ステップＳ２０３）。このチェックは、ＨＤＤ４に記憶されたスキャン情報の保存処理を先に行った本人のみが読出すことができるように、アクセスに制限を加えるために行うものである。
従って、ユーザＩＤが一致しない場合には（ステップＳ２０３-NO）、“ユーザＩＤが一致しないので、ＨＤＤ４に保存されたスキャン情報を使用することができない”旨のメッセージを操作パネル（操作部５）のＬＣＤ画面を通して、ユーザに通知し（ステップＳ２０７）、この処理フローを終了する。
他方、ユーザＩＤが一致する場合には（ステップＳ２０３-YES）、一致したユーザＩＤと関連付けられて保存されているスキャン情報をＨＤＤ４から読出し（ステップＳ２０４）、読出したスキャン情報をコピー等のユーザが処理を要求しているアプリに転送し（ステップＳ２０５）、この処理フローを終了する。
また、ステップＳ２０２で、ＩＤ読取部８においてユーザＩＤの読取が行われず、ユーザＩＤが取得できなかった場合、スキャン情報へのアクセスを禁止する。従って、この場合の処理として、“ユーザＩＤの入力がないと、ＨＤＤ４に保存されたスキャン情報を使用することができない（スキャン情報を入力した本人以外のアクセスは、禁止されている）”旨のメッセージを操作パネル（操作部５）のＬＣＤ画面を通して、ユーザに通知し（ステップＳ２１１）、この処理フローを終了する。
【図面の簡単な説明】
【００１７】
【図１】本発明の実施形態としてのＭＦＰ（複合機）に係わる制御システムの構成を概略的に示すブロック図である。
【図２】図１に示すＭＦＰにおけるスキャン情報の保存処理に係わる処理フローを示す。
【図３】図２の処理フローにより保存されたスキャン情報の読出し処理に係わる処理フローを示す。
【符号の説明】
【００１８】
１・・制御部、
２・・ＲＯＭ（Read Only Memory）、
３・・ＲＡＭ（Random Access Memory ）、
４・・ＨＤＤ（Hard Disk Drive）、
５・・操作部、
６・・スキャナ、
７・・プロッタ、
８・・ＩＤ読取部、
９・・通信制御部、
１０・・ＬＡＮ（Local Area Network）制御部。
【図１】
2006339928.tif 000003
【図２】
2006339928.tif 000004
【図３】
2006339928.tif 000005